(57)【要約】【課題】各種情報間の関係を抽出することができる情報管理装置、およびプログラムを提供する。【解決手段】サーバ装置１は、複数の利用者の情報を格納する利用者情報ＤＢ１１Ｃと、複数の利用者間において送受信される複数の実施項目を格納する実施項目情報ＤＢ１１Ｂとを記憶する記憶部１１と、実施項目が作成されたとき、実施項目情報ＤＢ１１Ｂから作成された実施項目の送信元又は送信先である利用者を含む他の実施項目を抽出し、抽出された他の実施項目との関連性を関連実施項目ＤＢ１１Ｅとして記憶部１１に格納する制御部１０とを有する。【選択図】図８
2010072706.tif 000002
【特許請求の範囲】
【請求項１】
複数の実施項目から、前記複数の実施項目にそれぞれ含まれる送信元又は送信先の情報を抽出し、前記送信元及び送信先の情報に基づいて前記複数の実施項目間の関連性を示す情報を生成する制御を行う制御部とを有する情報管理装置。
【請求項２】
前記実施項目は、文字情報を含み、
前記制御部は、前記複数の実施項目間の前記文字情報を比較することで関連性の高さを算出する請求項１に記載の情報管理装置。
【請求項３】
前記実施項目は、依頼日と納期とから構成される時間情報を含み、
前記制御部は、前記複数の実施項目間の前記時間情報を比較することで関連性の高さを算出する請求項１に記載の情報管理装置。
【請求項４】
前記制御部は、複数の実施項目から実施項目が選択されたとき、前記選択された実施項目の関連性を示す情報をを取得し、前記関連性を示す情報に基づいて前記選択された実施項目に関連する他の実施項目を抽出し、前記選択された実施項目と前記抽出された他の実施項目との関連性を表示処理する請求項１に記載の情報管理装置。
【請求項５】
複数の実施項目から、前記複数の実施項目にそれぞれ含まれる送信元及び送信先の情報を抽出する抽出ステップと、
前記送信元及び送信先の情報に基づいて、前記複数の実施項目間の関連性を示す情報を取得して記憶する関連実施項目記憶ステップとをコンピュータに実行させる情報管理プログラム。
【請求項６】
前記複数の実施項目から実施項目が選択されたとき、前記関連性を示す情報に基づいて、前記選択された実施項目に関連する他の実施項目を抽出する関連実施項目抽出ステップと、
前記抽出された他の実施項目に基づいて、前記選択された実施項目と前記抽出された実施項目との関連性を表示処理する表示ステップとをコンピュータに実行させる請求項５に記載の情報管理プログラム。
【発明の詳細な説明】
【技術分野】
【０００１】
本発明は、情報管理装置、およびプログラムに関する。
【背景技術】
【０００２】
各種の情報同士の関係を選択的に表示することができる装置が知られている（例えば、特許文献１参照）。
【０００３】
この特許文献１の情報管理装置は、各種の情報として、例えば、依頼や防忘暦等である仕事（実施項目）、仕事に基づいて作成された文書や図面等の添付情報である成果物、及びある仕事に対する留意事項や連絡等である付帯情報等と、仕事と仕事との間の上下関係を示す第１の情報と、仕事と仕事との間の前後関係を示す第２の情報と、仕事と成果物との関係を示す第３の情報と、仕事と付帯情報との間の関係を示す第４の情報とを格納する記憶部と、記憶部に格納された各情報を管理するとともに、利用者の要求に応じて第１〜第４の情報を記憶部から取り出して表示する制御部とを有し、各種情報を一元管理することができる。
【特許文献１】特開２００２−２５９６４２号公報
【発明の開示】
【発明が解決しようとする課題】
【０００４】
本発明の目的は、各実施項目の関係を抽出することができる情報管理装置、およびプログラムを提供することにある。
【課題を解決するための手段】
【０００５】
本発明の一態様は、上記目的を達成するため、以下の情報管理装置、およびプログラムを提供する。
【０００６】
［１］複数の実施項目から、前記複数の実施項目にそれぞれ含まれる送信元又は送信先の情報を抽出し、前記送信元及び送信先の情報に基づいて前記複数の実施項目間の関連性を示す情報を生成する制御を行う制御部とを有する情報管理装置。
【０００７】
［２］前記実施項目は、文字情報を含み、前記制御部は、前記複数の実施項目間の前記文字情報を比較することで関連性の高さを算出する前記［１］に記載の情報管理装置。
【０００８】
［３］前記実施項目は、依頼日と納期とから構成される時間情報を含み、前記制御部は、前記複数の実施項目間の前記時間情報を比較することで関連性の高さを算出する前記［１］に記載の情報管理装置。
【０００９】
［４］前記制御部は、複数の実施項目から実施項目が選択されたとき、前記選択された実施項目の関連性を示す情報をを取得し、前記関連性を示す情報に基づいて前記選択された実施項目に関連する他の実施項目を抽出し、前記選択された実施項目と前記抽出された他の実施項目との関連性を表示処理する前記［１］に記載の情報管理装置。
【００１０】
［５］複数の実施項目から、前記複数の実施項目にそれぞれ含まれる送信元及び送信先の情報を抽出する抽出ステップと、前記送信元及び送信先の情報に基づいて、前記複数の実施項目間の関連性を示す情報を取得して記憶する関連実施項目記憶ステップとをコンピュータに実行させる情報管理プログラム。
【００１１】
［６］前記複数の実施項目から実施項目が選択されたとき、前記関連性を示す情報に基づいて、前記選択された実施項目に関連する他の実施項目を抽出する関連実施項目抽出ステップと、前記抽出された他の実施項目に基づいて、前記選択された実施項目と前記抽出された実施項目との関連性を表示処理する表示ステップとをさらにコンピュータに実行させる前記［６］に記載の情報管理プログラム。
【発明の効果】
【００１２】
請求項１又は５に係る発明によれば、各実施項目間の関係を抽出することができる。
【００１３】
請求項２、又は３に係る発明によれば、本構成を有していない場合に比較して、関連性の抽出精度が向上する。
【００１４】
請求項４又は６に係る発明によれば、利用者に実施項目の位置づけを啓示することができる。
【発明を実施するための最良の形態】
【００１５】
本発明の実施の形態に係る情報管理装置は、前記複数の実施項目から、前記複数の実施項目にそれぞれ含まれる送信元又は送信先の情報を抽出し、前記送信元及び送信先の情報に基づいて前記複数の実施項目間の関連性を示す情報を生成する制御部とを有するものである。
【００１６】
上記情報管理装置は、例えば、ある一つの実施項目に含まれる送信元と、他の実施項目に含まれる送信先とが同一のとき、両実施項目間に一定の関連性があると判断する。なお、関連性には、親子関係、同列関係が含まれ、例えば、ツリー表示等で示されるものを言う。
【００１７】
（情報管理システムの構成）
図１は、本発明の一実施の形態に係る情報管理システムの構成例を示す概略図である。
【００１８】
情報管理システム１０００は、情報管理装置としてのサーバ装置１と、ネットワーク３を介して接続された複数の端末装置２ａ〜２ｃとを有する。サーバ装置装置１は、本体内にＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）、及びＬＡＮカード等の電子部品を有して情報を処理する情報処理装置であり、複数の利用者を管理し、複数の利用者間でやりとりされるメッセージやファイル等の情報を管理するソフトウェアを動作させる。また、サーバ装置１のソフトウェアは、ネットワーク３を介して、各利用者により各端末装置２ａ〜２ｃにおいて操作される。
【００１９】
各端末装置２ａ〜２ｃは、それぞれ、ＣＰＵやＨＤＤ等の電子部品を格納して情報を処理する本体処理部２０ａ〜２０ｃと、キーボードやマウス等からなる入力装置２１ａ〜２１ｃと、ＬＣＤ（Ｌｉｑｕｉｄ  Ｃｒｙｓｔａｌ  Ｄｉｓｐｌａｙ）等からなる表示装置２２ａ〜２２ｃとを有する。本体処理部２０ａ〜２０ｃは、入力装置２１ａ〜２１ｃに入力された情報を処理して通信プロトコルに変換し、サーバ装置１に送信する。次に、サーバ装置１からの応答を受信すると本体処理部２０ａ〜２０ｃは、受信内容を表示装置２２ａ〜２２ｃに表示するよう処理する。
【００２０】
（情報管理装置の構成）
図２は、本発明の一実施の形態に係る情報管理装置の構成例を示す概略図である。
【００２１】
情報管理装置としてのサーバ装置１は、情報を管理するソフトウェアを動作させるＣＰＵである制御部１０と、各種データベースを格納するＨＤＤである記憶部１１と、ネットワーク３を介して外部と通信するＬＡＮカードである通信部１２とを有する。また、サーバ装置１は、さらに図示しないメモリ、表示部、入力装置等を有する。
【００２２】
制御部１０は、各利用者間でやりとりされるメッセージとしての実施項目を記憶部１１から取得する実施項目取得手段１０Ａと、ある実施項目に対して関連性のある実施項目を抽出する関連実施項目抽出手段１０Ｂと、関連づけられた実施項目を表示する実施項目抽出／表示手段１０Ｃ都を有する。
【００２３】
記憶部１１は、実施集団としてのタスクを格納するタスク情報データベース（以下、ＤＢ）１１Ａと、タスクに属する利用者間でやりとりされる依頼メッセージである実施項目を格納する実施項目情報ＤＢ１１Ｂと、各利用者の詳細情報を格納する利用者情報ＤＢ１１Ｃと、各種情報の編集・閲覧のアクセス権を格納するアクセス権ＤＢ１１Ｄと、各実施項目間の関連性を格納する関連実施項目ＤＢ１１Ｅと、関連性の算出のための設定値を格納する設定情報ＤＢ１１Ｆとを有する。ここで、タスクとは、同一の企画、目的の下に作業を行うグループであり、複数の利用者に属性として付与される。タスクに属する利用者は共通の作業環境上において実施項目のやりとりを行う。
【００２４】
通信部１２は、例えば、イーサネット（登録商標）の規格に基づいて動作する有線通信である。なお、通信部１２は、無線通信であっても良い。
【００２５】
図３Ａは、本発明の一実施の形態に係るタスク情報ＤＢの内容例を示す概略図である。
【００２６】
タスク情報ＤＢ１１Ａは、任意の符号からなるタスクＩＤと、任意の文字列からなるタスク名と、あるタスクに対する上位のタスクを示す親タスクと、あるタスクに対して同列のタスクを示す同列タスクと、あるタスクに対する下位のタスクを示す子タスクと、あるタスクに属する利用者を示す関与者とを有する。
【００２７】
図３Ｂは、本発明の一実施の形態に係る実施項目情報ＤＢの内容例を示す概略図である。
【００２８】
実施項目情報ＤＢ１１Ｂは、任意の符号からなる実施項目ＩＤと、任意の文字列からなるタイトルと、ある実施項目の作成者であり送信元を示す依頼者と、ある実施項目の送信先を示す作業者と、ある実施項目の作業進行を示す状態と、ある実施項目が送信された日付を示す依頼日と、ある実施項目の作業完了期限の日付を示す納期と、ある実施項目が作業完了した日付を示す完了日と、ある実施項目の内容を示すメッセージとを有する。
【００２９】
図３Ｃは、本発明の一実施の形態に係る利用者情報ＤＢの内容例を示す概略図である。
【００３０】
利用者情報ＤＢ１１Ｃは、任意の符号からなる利用者ＩＤと、利用者の名前を示す利用者名と、利用者の役職名を示す役職名とを有する。
【００３１】
図３Ｄは、本発明の一実施の形態に係るアクセス権ＤＢの内容例を示す概略図である。
【００３２】
アクセス権ＤＢ１１Ｄは、アクセス権の設定されるタスクを示すタスクＩＤと、タスクに含まれる利用者に付与される実施項目の表示内容に関するアクセス権を示す関与者と、タスクに含まれない利用者に付与される実施項目の表示内容に関するアクセス権を示す関与者外とを有する。
【００３３】
図３Ｅは、本発明の一実施の形態に係る関連実施項目情報ＤＢの内容例を示す概略図である。
【００３４】
関連実施項目情報ＤＢ１１Ｅは、任意の符号からなる管理ＩＤと、ある実施項目のＩＤを示す実施項目ＩＤと、ある実施項目に対して上位の実施項目が存在する場合にそのＩＤを示す親実施項目と、ある実施項目に対して同列の実施項目が存在する場合にそのＩＤを示す同列実施項目と、ある実施項目に対して下位の実施項目が存在する場合にそのＩＤを示す子実施項目とを有する。
【００３５】
なお、ここで親実施項目とは、ある実施項目を作成する起因となった実施項目のことであり、子実施項目とは、その逆である。同列実施項目とは、同一の親実施項目を有する実施項目同士の関係を示す。
【００３６】
図３Ｆは、本発明の一実施の形態に係る設定情報ＤＢの内容例を示す概略図である。
【００３７】
設定情報ＤＢ１１Ｆは、実施項目の関連性を判定する場合に設定される内容を示す設定内容と、設定内容に対する設定値を示す設定値とを有する。
【００３８】
図４は、本発明の一実施の形態に係るタスクの構成例を示す概略図である。
【００３９】
タスク情報ＤＢ１１Ａは、例えば、「２００７年度商品開発」タスク１１０Ａと、「商品×××開発」タスク１１０Ｂと、「○○機能作成」タスク１１０Ｃと、「２００年度事業本部活動」タスク１１０Ｄと、「開発１部」タスク１１０Ｅと、「グループ２」タスク１１０Ｆと、「チーム３」タスク１１０Ｇと、「開発２部」タスク１１０Ｈと、「グループ４」タスク１１０Ｉとを含む。
【００４０】
タスク１１０Ａは、タスク１１０Ｂを子タスクに持ち、タスク１１０Ｂは、タスク１１０Ｃを子タスクに持つ。タスク１１０Ｃは、タスク１１０Ｂを親タスクに持ち、タスク１１０Ｂは、タスク１１０Ａを親タスクに持つ。
【００４１】
タスク１１０Ｄ〜１１０Ｉは、同様に親タスク、子タスクを持つとともに、タスク１１０Ｅとタスク１１０Ｈとは同列タスクである。また、同様にタスク１１０Ｆとタスク１１０Ｉとは同列タスクである。
【００４２】
タスク１１０Ｃは、利用者１１１Ａ〜１１１Ｃ（「ユーザーＡ」〜「ユーザーＣ」）を含み、利用者１１１Ａを依頼者とし、利用者１１１Ｂ及び１１１Ｃを作業者として、実施項目１１０ａ（「実施項目１０００」）を送信している。
【００４３】
タスク１１０Ｆは、利用者１１１Ｂと１１１Ｄ（「ユーザーＢ」と「ユーザーＤ」）を含み、利用者１１１Ｂを依頼者とし、利用者１１１Ｄを作業者として、実施項目１１０ｂ（「実施項目１００１」）を送信している。
【００４４】
タスク１１０Ｇは、利用者１１１Ｄと１１１Ｅ（「ユーザーＤ」と「ユーザーＥ」）を含み、利用者１１１Ｄを依頼者とし、利用者１１１Ｅを作業者として、実施項目１１０ｃ（「実施項目１００２」）を送信している。
【００４５】
タスク１１０Ｉは、利用者１１１Ｃと１１１Ｆ（「ユーザーＣ」と「ユーザーＦ」）を含み、利用者１１１Ｃを依頼者とし、利用者１１１Ｆを作業者として、実施項目１１０ｄ（「実施項目１００３」）を送信している。
【００４６】
以上の状態において、実施項目１０００と実施項目１００１とは、利用者１１１Ｂが関与しているため、関連性があると判断する。実施項目１０００において利用者１１１Ｂは作業者であり、実施項目１００１において利用者１１１Ｂは依頼者であるため、実施項目１０００にとって実施項目１００１は、子実施項目とみなされる。
【００４７】
同様の視点から、実施項目１０００にとって実施項目１００３は、子実施項目であり、実施項目１００１にとって実施項目１００２は、子実施項目である。また、実施項目１００１にとって実施項目１００３は、同列実施項目である。
【００４８】
図５Ａは、本発明の一実施の形態に係る実施項目表示の表示例を示す概略図である。
【００４９】
実施項目表示２２０は、表示装置２２ａ〜２２ｃのいずれかに表示される内容であり、閲覧するために選択されたタスク名を表示する選択タスク２２１と、選択タスク２２１内に含まれる実施項目の表示条件を選択する表示選択部２２２と、表示選択部２２２において選択された条件に基づいて実施項目を一覧表示する実施項目一覧２２３と、実施項目一覧２２３から実施項目を選択するための選択矢印２２４と、選択矢印２２４によって選択された実施項目に関連する実施項目を表示する関連実施項目表示ボタン２２５とを有する。
【００５０】
図５Ｂは、本発明の一実施の形態に係る実施項目表示の表示例を示す概略図である。
【００５１】
実施項目表示２３０は、表示装置２２ａ〜２２ｃのいずれかに表示される内容であり、閲覧するために選択された利用者名を表示する選択利用者２３１と、選択利用者２３１が有する実施項目の表示条件を選択する表示選択部２３２と、利用者が依頼者または作業者になっている実施項目を一覧表示する実施項目一覧２３３と、実施項目一覧２３３から実施項目を選択するための選択矢印２３４と、選択矢印２３４によって選択された実施項目に関連する実施項目を表示する関連実施項目表示ボタン２３５とを有する。
【００５２】
図６は、本発明の一実施の形態における実施項目の内容例及び類似性判定条件例を示す概略図である。
【００５３】
実施項目１１０ａ及び実施項目１１０ｂは、例えば、図６に示すような内容を有しており、実施項目１１０ｂにおいて実施項目１１０ａの内容「○○機能仕様書を更新してください。」が引用されている。実施項目１１０ｂの内容は、派生元メッセージ（実施項目１１０ａの内容）の内容含有率が、例えば、２％であり、設定情報ＤＢ１１Ｆに設定された閾値２０％に満たないため、「関連性なし」と判断されるが、派生元メッセージの引用があるため、実施項目１１０ｂは、実施項目１１０ａの子実施項目と判定される。
【００５４】
図７は、本発明の一実施の形態に係る関連実施項目表示の表示例を示す概略図である。
【００５５】
関連実施項目表示２４０は、図５Ａ又は図５Ｂにおける関連実施項目表示ボタン２２５又は２３５を操作することにより表示される内容であり、実施項目２４０ａと、実施項目２４０ｂと、実施項目２４０ｃと、実施項目２４０ｄとを有する。実施項目２４０ａは、実施項目２４０ｂと実施項目２４０ｄとを子実施項目に持ち、実施項目２４０ｂと実施項目２４０ｄとは、実施項目２４０ａを親実施項目に持つ。また、実施項目２４０ｂと実施項目２４０ｄとは同列実施項目である。実施項目２４０ｂは、実施項目２４０ｃを子実施項目に持ち、実施項目２４０ｃは、実施項目２４０ｂを親実施項目に持つ。
【００５６】
また、選択枠２４０Ａは、図５Ａ又は図５Ｂにおける関連実施項目表示ボタン２２５又は２３５を操作する際に、選択矢印２２４又は２３４が選択している実施項目を示すものであり、さらに関連実施項目表示２４０において別の実施項目の関連性を取得する際に、中心となる実施項目を選択するための枠である。
【００５７】
なお、関連実施項目表示２４０は、図７に示す表示に限らず、図３Ｅの関連実施項目情報ＤＢ１１Ｅのように表の形態で、関連した実施項目のみを抽出して表示してもよい。
【００５８】
（動作）
以下に、本発明の実施の形態における情報管理装置、およびプログラムの動作を各図を参照しつつ説明する。
【００５９】
例えば、端末装置２ａにおいて利用者が操作を行うと、ネットワーク３を介して操作信号がサーバ装置１に入力されて、サーバ装置１が動作する。サーバ装置１は、入力に応じた表示を表示装置２２ａにおいて表示するよう情報を端末装置２ａに入力する。
【００６０】
利用者の操作により、新規の実施項目が送信されると、その実施項目は、実施項目情報ＤＢ１１Ｂに登録される。次に、実施項目取得手段、及び関連実施項目抽出手段１０Ｂにより、図６に示すように、登録された実施項目と、実施項目情報ＤＢ１１Ｂに既存の実施項目との関連性が抽出されて、類似性がある場合は同列実施項目として、引用がある場合は親又は子実施項目として関連実施項目ＤＢ１１Ｅが更新される。同列実施項目抽出の動作の詳細は以下に詳細に示す。
【００６１】
図８は、本発明の一実施の形態に係る情報管理装置の関連実施項目の抽出動作を示すフローチャートである。
【００６２】
まず、実施項目取得手段１０Ａは、実施項目が新規作成されるとその実施項目情報を実施項目情報ＤＢ１１Ｂから取得する（Ｓ１０１）。次に、関連実施項目抽出手段１０Ｂは、取得した実施項目の依頼者を参照して、依頼者となっている利用者が作業者となっている実施項目を実施項目情報ＤＢ１１Ｂから取得する（Ｓ１０２）。
【００６３】
次に、関連実施項目抽出手段１０Ｂは、ステップＳ１０２において取得した実施項目から状態が開始前、又は作業中となっている実施項目を抽出する（Ｓ１０３；Ｙｅｓ）。次に、ステップＳ１０３において抽出された実施項目のタイトル、及びメッセージを抽出し（Ｓ１０４）、設定情報ＤＢ１１Ｆに基づき図６に示す類似性判定を実行して類似性が有ると判定されたとき（Ｓ１０５；Ｙｅｓ）、同列実施項目を取得し（Ｓ１０６）、関連実施項目ＤＢ１１Ｅに同列実施項目として登録する（Ｓ１０７）。
【００６４】
また、ステップＳ１０５において類似性が無いと判定されたとき（Ｓ１０５；Ｎｏ）、実施項目の依頼日及び納期を抽出し（Ｓ１０８）、依頼日及び納期が設定情報ＤＢ１１Ｆの規定値を超える場合（Ｓ１０９；Ｙｅｓ）、ステップＳ１０６へと進む。
【００６５】
ステップＳ１０３において、状態が完了であったとき（Ｓ１０３；Ｎｏ）、及びステップＳ１０９において、依頼日及び納期が規定値を超えないとき（Ｓ１０９；Ｎｏ）、関連実施項目ＤＢ１１Ｅに登録を行わない。
【００６６】
なお、規定値は、初期設定により変更することができるようにしてもよい。また、ステップＳ１０５、Ｓ１０９等の関連性を定義するための条件は、適宜組み合わせを変更しても良く、他の条件を組み合わせても良い。
【００６７】
図９は、本発明の一実施の形態に係る情報管理装置の関連実施項目情報ＤＢの表示動作を示すフローチャートである。
【００６８】
まず、実施項目表示２２０の選択矢印２２４で実施項目が選択されて関連実施項目表示ボタン２２５が操作されると、又は、実施項目表示２３０の選択矢印２３４で実施項目が選択されて関連実施項目表示ボタン２３５が操作されると、実施項目抽出／表示手段１０Ｃは、関連実施項目ＤＢ１１Ｅを参照して、指定された実施項目の親実施項目ＩＤ、同列実施項目ＩＤ、及び／又は子実施項目ＩＤを取得する（Ｓ２０１）。
【００６９】
指定された実施項目に親実施項目ＩＤ、同列実施項目ＩＤ、及び／又は子実施項目ＩＤが存在しているとき（Ｓ２０２；Ｙｅｓ）、実施項目抽出／表示手段１０Ｃは、アクセス権ＤＢ１１Ｄを参照して、存在している実施項目に対してアクセス権があるか確認する（Ｓ２０３）。
【００７０】
アクセス権のない実施項目であるとき（Ｓ２０３；Ｎｏ）、実施項目の存在情報のみ取得する（Ｓ２０４）。また、アクセス権のある実施項目であるとき（Ｓ２０３；Ｙｅｓ）、実施項目情報ＤＢ１１Ｂから実施項目情報を全て取得する（Ｓ２０５）。
【００７１】
次に、ステップＳ２０４、又はＳ２０５において取得した実施項目に親実施項目、同列実施項目、及び／又は子実施項目が存在するか確認し（Ｓ２０６）、存在するとき（Ｓ２０６；Ｙｅｓ）、存在した実施項目に対してステップＳ２０１〜Ｓ２０５を実行する。
【００７２】
全ての関連する実施項目に対してステップＳ２０１〜Ｓ２０５を実行し終えると（Ｓ２０６；Ｎｏ）、取得した実施項目の存在情報、及び実施項目情報に基づいて表示内容を生成し（Ｓ２０７）、図７に示すように関連実施項目表示２４０を表示する（Ｓ２０８）。
【００７３】
［他の実施の形態］
なお、本発明は、上記実施の形態に限定されず、本発明の趣旨を逸脱しない範囲で種々な変形が可能である。
【００７４】
図１０Ａは、本発明の一実施の形態に係る関連実施項目表示の他の表示例を示す概略図である。
【００７５】
例えば、図７に示す関連実施項目表示２４０の各実施項目２４０ａ〜２４０ｄが属するタスク名２５０ａ〜２５０ｄに置き換えて関連タスク表示２５０としてもよい。
【００７６】
図１０Ｂは、本発明の一実施の形態に係る関連実施項目表示のさらに他の表示例を示す概略図である。
【００７７】
また、例えば、図７に示す関連実施項目表示２４０の各実施項目２４０ａ〜２４０ｄの依頼日、及び納期を取得して、各実施項目２４０ａ〜２４０ｄの実施期間表示２６０ａ〜２６０ｄに置き換えて関連実施項目ガントチャート２６０としてもよい。
【００７８】
また、上記実施の形態で使用される実施項目取得手段１０Ａ、関連実施項目抽出手段１０Ｂ、及び実施項目抽出／表示手段１０Ｃは、ＣＤ−ＲＯＭ等の記憶媒体から装置内の記憶部に読み込んでも良く、インターネット等のネットワークに接続されているサーバ装置ー等から装置内の記憶部にダウンロードしてもよい。また、上記実施の形態で使用される手段の一部または全部をＡＳＩＣ等のハードウェアによって実現してもよい。
【図面の簡単な説明】
【００７９】
【図１】本発明の一実施の形態に係る情報管理システムの構成例を示す概略図である。
【図２】本発明の一実施の形態に係る情報管理装置の構成例を示す概略図である。
【図３Ａ】本発明の一実施の形態に係るタスク情報ＤＢの内容例を示す概略図である。
【図３Ｂ】本発明の一実施の形態に係る実施項目情報ＤＢの内容例を示す概略図である。
【図３Ｃ】本発明の一実施の形態に係る利用者情報ＤＢの内容例を示す概略図である。
【図３Ｄ】本発明の一実施の形態に係るアクセス権ＤＢの内容例を示す概略図である。
【図３Ｅ】本発明の一実施の形態に係る関連実施項目情報ＤＢの内容例を示す概略図である。
【図３Ｆ】本発明の一実施の形態に係る設定情報ＤＢの内容例を示す概略図である。
【図４】本発明の一実施の形態に係るタスクの構成例を示す概略図である。
【図５Ａ】本発明の一実施の形態に係る実施項目表示の表示例を示す概略図である。
【図５Ｂ】本発明の一実施の形態に係る実施項目表示の表示例を示す概略図である。
【図６】本発明の一実施の形態における実施項目の内容例及び類似性判定条件例を示す概略図である。
【図７】本発明の一実施の形態に係る関連実施項目表示の表示例を示す概略図である。
【図８】本発明の一実施の形態に係る情報管理装置の関連実施項目の抽出動作を示すフローチャートである。
【図９】本発明の一実施の形態に係る情報管理装置の関連実施項目情報ＤＢの表示動作を示すフローチャートである。
【図１０Ａ】本発明の一実施の形態に係る関連実施項目表示の他の表示例を示す概略図である。
【図１０Ｂ】本発明の一実施の形態に係る関連実施項目表示のさらに他の表示例を示す概略図である。
【符号の説明】
【００８０】
１…サーバ装置、２ａ-２ｃ…端末装置、３…ネットワーク、１０…制御部、１０Ａ…実施項目取得手段、１０Ｂ…関連実施項目抽出手段、１０Ｃ…実施項目抽出／表示手段、１１…記憶部、１１Ａ…タスク情報ＤＢ、１１Ｂ…実施項目情報ＤＢ、１１Ｃ…利用者情報ＤＢ、１１Ｄ…アクセス権ＤＢ、１１Ｅ…関連実施項目ＤＢ、１１Ｆ…設定情報ＤＢ、１２…通信部、２０ａ-２０ｃ…本体処理部、２１ａ-２１ｃ…入力装置、２２ａ-２２ｃ…表示装置、１１０ａ-１１０ｄ…実施項目、１１０Ａ-１１０Ｉ…タスク、１１１Ａ-１１１Ｆ…利用者、２２０…実施項目表示、２２１…選択タスク、２２２…表示選択部、２２３…実施項目一覧、２２４…選択矢印、２２５…関連実施項目表示ボタン、２３０…実施項目表示、２３１…選択利用者、２３２…表示選択部、２３３…実施項目一覧、２３４…選択矢印、２３５…関連実施項目表示ボタン、２４０…関連実施項目表示、２４０ａ-２４０ｄ…実施項目、２４０Ａ…選択枠、２５０…関連タスク表示、２５０ａ-２５０ｄ…タスク名、２６０…関連実施項目ガントチャート、２６０ａ-２６０ｄ…実施期間表示、１０００…情報管理システム
【図１】
2010072706.tif 000003
【図２】
2010072706.tif 000004
【図３Ａ】
2010072706.tif 000005
【図３Ｂ】
2010072706.tif 000006
【図３Ｃ】
2010072706.tif 000007
【図３Ｄ】
2010072706.tif 000008
【図３Ｅ】
2010072706.tif 000009
【図３Ｆ】
2010072706.tif 000010
【図４】
2010072706.tif 000011
【図５Ａ】
2010072706.tif 000012
【図５Ｂ】
2010072706.tif 000013
【図６】
2010072706.tif 000014
【図７】
2010072706.tif 000015
【図８】
2010072706.tif 000016
【図９】
2010072706.tif 000017
【図１０Ａ】
2010072706.tif 000018
【図１０Ｂ】
2010072706.tif 000019